(57)【要約】【課題】  仏画を光背に表した仏像を提供すること。【解決手段】  仏体４０の後に光背５０を有する仏像１０において、光背５０に仏画５３を表したこと。さらに、仏体４０を支える台座２０を備え、台座２０の上面２２のうち仏体４０を支える部分より後側部分に溝を形成し、光背５０を板状に形成し、前記溝に光背５０の下部を差し込むことにより光背５０を台座２０に取り付けること。さらに、光背５０がガラス製であり、前記溝に光背５０の下部を着脱自在に差し込むことにより光背５０を台座２０に取り付けること。さらに、光背５０はその下部の差込部が平板状に形成され、その差込部以外の表面５１が窪むように湾曲した板状であり、前記窪むように湾曲した表面５１に仏画５３が表され、前記差込部が台座２０の溝に差し込まれること。【選択図】        図１
2007117562.tif 000002
【特許請求の範囲】
【請求項１】
仏体の後に光背を有する仏像において、
前記光背に仏画を表したことを特徴とする仏像。
【請求項２】
請求項１記載の仏像であって、
前記仏体を支える台座を備え、
前記台座の上面のうち前記仏体を支える部分より後側部分に溝を形成し、
前記光背を板状に形成し、
前記溝に前記光背の下部を差し込むことにより前記光背を前記台座に取り付けることを特徴とする仏像。
【請求項３】
請求項２記載の仏像であって、
前記光背がガラス製であり、
前記溝に前記光背の下部を着脱自在に差し込むことにより前記光背を前記台座に取り付けることを特徴とする仏像。
【請求項４】
請求項２または３に記載の仏像であって、
前記光背はその下部の差込部が平板状に形成され、その差込部以外の表面が窪むように湾曲した板状であり、前記窪むように湾曲した表面に仏画が表され、
前記差込部が前記台座の溝に差し込まれることを特徴とする仏像。
【発明の詳細な説明】
【技術分野】
【０００１】
本発明は、光背を備えた仏像に関し、特に光背に仏画を表した仏像に関するものである。
【背景技術】
【０００２】
従来、仏像において、仏体の後に光背が配設されている（例えば、特許文献１参照）。この場合の光背は、仏像の背後につける装飾であり、炎のような形状になっている。さらに、唐草模様の形状および水煙の形状の光背もあり、これらの光背に天人または化仏を付加した光背もある。
【特許文献１】実用新案登録第３０８６１０２号公報
【発明の開示】
【発明が解決しようとする課題】
【０００３】
しかし、上述の従来例では、光背の形状が単に炎、唐草模様または水煙およびこれらに付加した天人もしくは化仏を示すのみであるので、仏教の内容を具体的に表すことができないという問題があった。
そこで、本発明が解決しようとする課題は、仏教の内容を具体的に表す仏画を光背に表した仏像を提供することである。
【課題を解決するための手段】
【０００４】
上記課題を解決するため、請求項１記載の発明は、仏体の後に光背を有する仏像において、前記光背に仏画を表したことを特徴とする仏像である。
これにより、仏像を拝む者が、仏体を見るとともに、仏体の後の光背に表した仏画を見ることにより、仏教の内容を具体的に知ることができる。
【０００５】
さらに、請求項２記載の発明は、請求項１記載の仏像であって、前記仏体を支える台座を備え、前記台座の上面のうち前記仏体を支える部分より後側部分に溝を形成し、前記光背を板状に形成し、前記溝に前記光背の下部を差し込むことにより前記光背を前記台座に取り付けることを特徴とする仏像である。
これにより、台座の上面のうち仏体を支える部分より後側部分に形成した溝に仏画を表した板状光背の下部を差し込むことにより仏画を表した光背を台座に取り付けるので、仏画を表した光背を仏体の後に配置することが容易になる。
【０００６】
さらに、請求項３記載の発明は、請求項２記載の仏像であって、前記光背がガラス製であり、前記溝に前記光背の下部を着脱自在に差し込むことにより前記光背を前記台座に取り付けることを特徴とする仏像である。
これにより、仏画を表したガラス板製板状の光背の下部を前記台座の溝に着脱自在に差し込むことにより前記台座に固定するので、前記光背を仏像の装飾部材とすることができる。また、複数のガラス製板状の光背に異なる仏画を表して、これらの光背を取り変えることにより、異なる仏画を表した光背を有する仏像を構成することができる。
【０００７】
さらに、請求項４記載の発明は、請求項２または３に記載の仏像であって、前記光背はその下部の差込部が平板状に形成され、その差込部以外の表面が窪むように湾曲した板状であり、前記窪むように湾曲した表面に仏画が表され、前記差込部が前記台座の溝に差し込まれることを特徴とする仏像である。
これにより、光背の窪むように湾曲した表面に仏画を表して、光背を装飾部材とするとともに、光背の下部の平板状の差込部を台座の溝に差し込むことが容易になる。
【発明の効果】
【０００８】
請求項１記載の発明に係る仏像によれば、仏教の内容を具体的に表すことができる。
さらに、請求項２記載の発明によれば、請求項１記載の発明の効果とともに、請求項１記載の発明に係る仏像を構成することが容易になる。
さらに、請求項３記載の発明によれば、請求項２記載の発明の効果とともに、光背を仏像の取り替え可能な装飾部材とすることができる。
さらに、請求項４記載の発明によれば、請求項２または３記載の発明の効果とともに、光背を装飾部材とするとともに、光背を台座に固定することが容易になる。
【発明を実施するための最良の形態】
【０００９】
以下、本発明における実施の形態を図面に基づいて説明する。
図１は本発明の実施の形態に係る仏像を示し、図２は図１の仏像の仏体を除いた部分の縦断面を示し、図３は図１の仏像の光背の正面を示し、図４は図３の光背の右側面を示し、図５は図１の仏像の台座の平面を示す。
【００１０】
図１に示すように、仏像１０は、台座２０、台座２０に支えられた仏体４０および仏体４０の後に配置された光背５０を備えている。
【００１１】
図１に示すように、台座２０は、上部２１および上部２１を支える下部３１を備えている。図５に示すように、上部２１の上面２２には仏体４０を支える部分２３があり、上面２２のうち仏体４０を支える部分２３より後側部分に溝２４が形成されている。溝２４の長手方向（矢印２４ａの方向）は台座２０の左右方向である。
【００１２】
図２に示すように、台座２０の上部２１の下面２５には凸部２６が形成され、凸部２６の中央部分には上下方向の軸２７が形成されている。
下部３１の上面３２には、凹部３３が形成され、凹部３３の中央部分には孔３４が形成されている。下部３１の下面３５は平坦である。上面３２には上部２１の下面２５が接し、凹部３３には上部２１の凸部２６が嵌合し、孔３４には上部２１の軸２７が嵌合している。このようにして、下部３１上に上部２１が固定されている。
【００１３】
図１に示すように、仏体４０は、台座２０の上部２１の上面２２に座った状態である。４１は仏体４０の頭部であり、４２は仏体４０の膝部である。
【００１４】
図２に示すように、光背５０を円形等の板状に形成し、溝２４に光背５０の下部５６の差込部５７（図４参照）を差し込むことにより光背５０を台座２０に取り付けている。光背５０の差込部５７以外の部分では、表面５１は窪むように湾曲し、裏面５２は表面５１の湾曲に対応して凸状に湾曲している。なお、図４に示すように、差込部５７は平板状に形成されている。
【００１５】
また、光背５０はガラス製板状であり、溝２４に光背５０の下部５６の差込部５７を着脱自在に差し込むことにより光背５０を台座２０に取り付けることもできる。
図３に示すように、ガラス製の光背５０の表面５１の中央部分５５以外の部分に仏画５３がシルク印刷により印刷されている。仏画５３として３人の天女５４ａ、５４ｂ、５４ｃが描かれている。光背５０の中央部分５５は透明になっている。
【００１６】
上記構成の仏像１０は、以下の作用効果を奏する。
仏像１０を拝む者が、仏体４０を見るとともに、光背５０に表した仏画５３を見ることにより、仏教の内容を具体的に知ることができる。
【００１７】
さらに、台座２０の上面２２のうち仏体４０を支える部分２３より後側部分に溝２４を形成し、仏画５３を表した光背５０を板状に形成し、溝２４に光背５０の下部５６の差込部５７を差し込むことにより光背５０を台座２０に取り付けるので、光背５０を仏体４０の後に配置することが容易になる。
【００１８】
さらに、仏画５３を表したガラス板製の光背５０を台座２０の溝２４に着脱自在に差し込むことにより台座２０に固定するので、仏画５３を表したガラス板製の光背５０を仏像１０の装飾部材とすることができる。
【００１９】
さらに、光背５０の窪むように湾曲した表面５１に仏画５３を表して、光背５０を装飾部材とするとともに、光背５０の下部５６の平板状の差込部５７を台座２０の溝２４に差し込むことが容易になる。
【００２０】
なお、上記実施の形態において、仏画５３は図示されたものに限定されず、任意の仏画とすることができる。
また、複数のガラス製板状の光背５０に異なる仏画を表して、これらの光背５０を取り変えることにより、異なる仏画を表した光背５０を有する仏像１０を構成することができる。
また、台座２０の下部３１はなくてもよい。
【図面の簡単な説明】
【００２１】
【図１】本発明の実施の形態に係る仏像を示す斜視図である。
【図２】図１の仏像の仏体を除いた部分の縦断面図である。
【図３】図１の仏像の光背の正面図である。
【図４】図３の光背の右側面図である。
【図５】図１の仏像の台座の平面図である。
【符号の説明】
【００２２】
１０  仏像
２０  台座
２３  仏体を支える部分
２４  溝
４０  仏体
５０  光背
５１  表面
５３  仏画
５６  下部
５７  差込部
【図１】
2007117562.tif 000003
【図２】
2007117562.tif 000004
【図３】
2007117562.tif 000005
【図４】
2007117562.tif 000006
【図５】
2007117562.tif 000007